(57)【要約】【課題】月極駐車場を借りている人同士が互いの駐車場を交換すれば、それぞれの人がより希望の条件に近い駐車場を借りることができるような駐車場の組み合わせを発見可能とする。【解決手段】希望住所、希望金額、現駐車場住所、現駐車場金額、駐車場までの希望距離などの条件データを入力する入力手段と、入力された条件データを格納する記憶手段と、記憶された条件データの中からそれぞれの現駐車場条件が他方の希望駐車場条件を互いに満たす組み合わせを発見する計算手段と、発見された組み合わせを出力する出力手段とを備えたシステム。【選択図】図１
2009211672.tif 000002
【特許請求の範囲】
【請求項１】
駐車場物件利用希望者の希望住所、希望金額、希望住所からの許容距離などの希望条件と現在利用中の駐車場の住所、金額等の現在条件を入力する入力手段と、前記希望条件と前記現在条件を記憶する記憶手段と、記憶された複数の前記希望条件と前記現在条件の組み合わせの中から一方の前記現在条件が他方の前記希望条件を満足し、且つ一方の前記希望条件が他方の前記現在条件により満足させられる組み合わせのペアを発見する交換組み合わせ発見手段と、前記発見手段により発見された組み合わせのそれぞれの利用者にその結果を伝達するための伝達手段とを有することを特徴とする駐車場交換組み合わせ発見システム
【請求項２】
駐車場物件利用希望者の希望住所、希望金額、希望住所からの許容距離などの希望条件と現在利用中の駐車場の住所、金額等の現在条件を入力する入力手段と、前記希望条件と前記現在条件を記憶する記憶手段と、記憶された複数の前記希望条件と前記現在条件の組み合わせの中から全ての前記現在条件がいづれかの前記希望条件を満足し、且つ全ての前記希望条件がいづれかの前記現在条件により満足させられる２つ以上の組み合わせの集合を発見する交換組み合わせ発見手段と、前記発見手段により発見された組み合わせのそれぞれの利用者にその結果を伝達するための伝達手段とを有することを特徴とする駐車場交換組み合わせ発見システム
【請求項３】
駐車場物件利用希望者の希望住所、希望金額、希望住所からの許容距離などの希望条件と現在利用中の駐車場の住所、金額等の現在条件と空駐車場の住所、金額等の空駐車場条件を入力する入力手段と、前記希望条件と前記現在条件と前記空駐車場条件を記憶する記憶手段と、記憶された複数の前記希望条件と前記現在条件の組み合わせ又は複数の前記空駐車場条件の中から全ての前記希望条件がいづれかの前記現在条件又は前記空駐車場条件により満足させられ且つ前記希望条件を満足する全ての前記現在条件は２つ以上の前記希望条件を重複して満足しない２つ以上の組み合わせの集合を発見する交換組み合わせ発見手段と、前記発見手段により発見された組み合わせのそれぞれの利用者にその結果を伝達するための伝達手段とを有することを特徴とする駐車場交換組み合わせ発見システム
【請求項４】
請求項１から３いずれかに記載の駐車場交換組み合わせ発見システムにおいて、さらに利用者が駐車場の交換を申し込むための申し込み手段と、前記申し込みをシステム運用者に伝達する手段を有することを特徴とする駐車場交換組み合わせ発見システム
【請求項５】
請求項１から４いずれかに記載の駐車場交換組み合わせ発見システムにおいて、前記入力手段がインターネット経由でパソコンや携帯通信端末からの操作が可能であり、前記伝達手段がインターネット経由でパソコンや携帯通信端末に前記結果を伝達することが可能である駐車場交換組み合わせ発見システム
【請求項６】
駐車場物件利用希望者の希望住所、希望金額、希望住所からの許容距離などの希望条件と現在利用中の駐車場の住所、金額等の現在条件を入力するステップと、前記希望条件と前記現在条件を記憶するステップと、記憶された複数の前記希望条件と前記現在条件の組み合わせの中から一方の前記現在条件が他方の前記希望条件を満足し、且つ一方の前記希望条件が他方の前記現在条件により満足させられる組み合わせのペアを発見するステップと、前記発見ステップにより発見された組み合わせのそれぞれの利用者にその結果を伝達するためのステップを有することを特徴とする駐車場交換組み合わせ発見プログラム
【請求項７】
駐車場物件利用希望者の希望住所、希望金額、希望住所からの許容距離などの希望条件と現在利用中の駐車場の住所、金額等の現在条件を入力するステップと、前記希望条件と前記現在条件を記憶するステップと、記憶された複数の前記希望条件と前記現在条件の組み合わせの中から全ての前記現在条件がいづれかの前記希望条件を満足し、且つ全ての前記希望条件がいづれかの前記現在条件により満足させられる２つ以上の組み合わせの集合を発見するステップと、前記発見ステップにより発見された組み合わせのそれぞれの利用者にその結果を伝達するためのステップを有することを特徴とする駐車場交換組み合わせ発見プログラム
【請求項８】
駐車場物件利用希望者の希望住所、希望金額、希望住所からの許容距離などの希望条件と現在利用中の駐車場の住所、金額等の現在条件と空駐車場の住所、金額等の空駐車場条件を入力するステップと、前記希望条件と前記現在条件と前記空駐車場条件を記憶するステップと、記憶された複数の前記希望条件と前記現在条件の組み合わせ又は複数の前記空駐車場条件の中から全ての前記希望条件がいづれかの前記現在条件又は前記空駐車場条件により満足させられ且つ前記希望条件を満足する全ての前記現在条件は２つ以上の前記希望条件を重複して満足しない２つ以上の組み合わせの集合を発見するステップと、前記発見ステップにより発見された組み合わせのそれぞれの利用者にその結果を伝達するためのステップを有することを特徴とする駐車場交換組み合わせ発見プログラム
【請求項９】
請求項６から８いずれかに記載の駐車場交換組み合わせ発見プログラムにおいて、さらに利用者が駐車場の交換を申し込むためのステップと、前記申し込みを方法運用者に伝達するステップを有することを特徴とする駐車場交換組み合わせプログラム
【請求項１０】
請求項６から９いずれかに記載の駐車場交換組み合わせ発見プログラムにおいて、前記入力ステップがインターネット経由でパソコンや携帯通信端末からの操作が可能であり、前記伝達ステップがインターネット経由でパソコンや携帯端末に前記結果を伝達することが可能である駐車場交換組み合わせ発見プログラム
【請求項１１】
駐車場物件利用希望者の希望住所、希望金額、希望住所からの許容距離などの希望条件と現在利用中の駐車場の住所、金額等の現在条件を入力する工程と、前記希望条件と前記現在条件を記憶する工程と、記憶された複数の前記希望条件と前記現在条件の組み合わせの中から一方の前記現在条件が他方の前記希望条件を満足し、且つ一方の前記希望条件が他方の前記現在条件により満足させられる組み合わせのペアを発見する工程と、前記発見工程により発見された組み合わせのそれぞれの利用者にその結果を伝達するための工程を有することを特徴とする駐車場交換組み合わせ発見方法
【請求項１２】
駐車場物件利用希望者の希望住所、希望金額、希望住所からの許容距離などの希望条件と現在利用中の駐車場の住所、金額等の現在条件を入力する工程と、前記希望条件と前記現在条件を記憶する工程と、記憶された複数の前記希望条件と前記現在条件の組み合わせの中から全ての前記現在条件がいづれかの前記希望条件を満足し、且つ全ての前記希望条件がいづれかの前記現在条件により満足させられる２つ以上の組み合わせの集合を発見する工程と、前記発見工程により発見された組み合わせのそれぞれの利用者にその結果を伝達するための工程を有することを特徴とする駐車場交換組み合わせ発見方法
【請求項１３】
駐車場物件利用希望者の希望住所、希望金額、希望住所からの許容距離などの希望条件と現在利用中の駐車場の住所、金額等の現在条件と空駐車場の住所、金額等の空駐車場条件を入力する工程と、前記希望条件と前記現在条件と前記空駐車場条件を記憶する工程と、記憶された複数の前記希望条件と前記現在条件の組み合わせ又は複数の前記空駐車場条件の中から全ての前記希望条件がいづれかの前記現在条件又は前記空駐車場条件により満足させられ且つ前記希望条件を満足する全ての前記現在条件は２つ以上の前記希望条件を重複して満足しない２つ以上の組み合わせの集合を発見する工程と、前記発見工程により発見された組み合わせのそれぞれの利用者にその結果を伝達するための工程を有することを特徴とする駐車場交換組み合わせ発見方法
【請求項１４】
請求項１１から１３いずれかに記載の駐車場交換組み合わせ発見方法において、さらに利用者が駐車場の交換を申し込むための工程と、前記申し込みを方法運用者に伝達する工程を有することを特徴とする駐車場交換組み合わせ方法
【請求項１５】
請求項１１から１４いずれかに記載の駐車場交換組み合わせ発見方法において、前記入力工程がインターネット経由でパソコンや携帯通信端末からの操作が可能であり、前記伝達工程がインターネット経由でパソコンや携帯通信端末に前記結果を伝達することが可能である駐車場交換組み合わせ発見方法
【発明の詳細な説明】
【技術分野】
【０００１】本発明は、複数の駐車場利用者が現在利用している駐車場の住所や金額などの条件を入力すると共に、希望の駐車場の住所や金額や希望住所までの許容距離を入力し、互いに条件を満たす駐車場の組み合わせを発見し、それを利用者に伝達することにより、駐車場を交換するサービスを実現するための駐車場交換組み合わせ発見システム、方法及びプログラムに関するものである。
【発明の開示】
【発明が解決しようとする課題】
【０００２】駐車場はその利便性を考えると例えば自宅や会社等の駐車場利用拠点からの距離が近ければ近いほどよい。しかし、実際にはやむを得ず利用拠点から遠くにある駐車場を利用していることが多くある。それは駐車場は借りたいときに利用拠点から距離の近い物件に空きがある場合は少なく、しかしながら出来るだけ早く借りる必要があるため、妥協して借りているからである。また一方でどの駐車場が空き状態であるかは一般的に外見上ではわからないため、遠くにある駐車場を使い続ける状況が多く存在する。その結果、互いに相手方の利用拠点に近い駐車場を借りていて、それらの駐車場を互いに交換すれば双方がより近い駐車場を利用できる状況が散在している。それを解決するためには情報を収集し、組み合わせを発見し、それを提供する必要があるが、それを実現可能なシステム、方法及びプログラムは存在しない。
【課題を解決するための手段】
【０００３】請求項１記載の発明の駐車場交換組み合わせ発見システムは、駐車場物件利用希望者の希望住所、希望金額、希望住所からの許容距離などの希望条件と現在利用中の駐車場の住所、金額等の現在条件を入力する入力手段と、前記希望条件と前記現在条件を記憶する記憶手段と、記憶された複数の前記希望条件と前記現在条件の組み合わせの中から一方の前記現在条件が他方の前記希望条件を満足し、且つ一方の前記希望条件が他方の前記現在条件により満足させられる組み合わせのペアを発見する交換組み合わせ発見手段と、前記発見手段により発見された組み合わせのそれぞれの利用者にその結果を伝達するための伝達手段とを有することを特徴とする【０００４】請求項２記載の発明の駐車場交換組み合わせ発見システムは、駐車場物件利用希望者の希望住所、希望金額、希望住所からの許容距離などの希望条件と現在利用中の駐車場の住所、金額等の現在条件を入力する入力手段と、前記希望条件と前記現在条件を記憶する記憶手段と、記憶された複数の前記希望条件と前記現在条件の組み合わせの中から全ての前記現在条件がいづれかの前記希望条件を満足し、且つ全ての前記希望条件がいづれかの前記現在条件により満足させられる２つ以上の組み合わせの集合を発見する交換組み合わせ発見手段と、前記発見手段により発見された組み合わせのそれぞれの利用者にその結果を伝達するための伝達手段とを有することを特徴とする【０００５】請求項３記載の発明の駐車場交換組み合わせ発見システムは、駐車場物件利用希望者の希望住所、希望金額、希望住所からの許容距離などの希望条件と現在利用中の駐車場の住所、金額等の現在条件と空駐車場の住所、金額等の空駐車場条件を入力する入力手段と、前記希望条件と前記現在条件と前記空駐車場条件を記憶する記憶手段と、記憶された複数の前記希望条件と前記現在条件の組み合わせ又は複数の前記空駐車場条件の中から全ての前記希望条件がいづれかの前記現在条件又は前記空駐車場条件により満足させられ且つ前記希望条件を満足する全ての前記現在条件は２つ以上の前記希望条件を重複して満足しない２つ以上の組み合わせの集合を発見する交換組み合わせ発見手段と、前記発見手段により発見された組み合わせのそれぞれの利用者にその結果を伝達するための伝達手段とを有することを特徴とする【０００６】請求項４記載の発明の駐車場交換組み合わせ発見システムは、請求項１から３いずれかに記載の駐車場交換組み合わせ発見システムにおいて、さらに利用者が駐車場の交換を申し込むための申し込み手段と、前記申し込みをシステム運用者に伝達する手段を有することを特徴とする【０００７】請求項５記載の発明の駐車場交換組み合わせ発見システムは、請求項１から４いずれかに記載の駐車場交換組み合わせ発見システムにおいて、前記入力手段がインターネット経由でパソコンや携帯通信端末からの操作が可能であり、前記伝達手段がインターネット経由でパソコンや携帯通信端末に前記結果を伝達することが可能である【０００８】請求項６記載の発明の駐車場交換組み合わせ発見プログラムは、駐車場物件利用希望者の希望住所、希望金額、希望住所からの許容距離などの希望条件と現在利用中の駐車場の住所、金額等の現在条件を入力するステップと、前記希望条件と前記現在条件を記憶するステップと、記憶された複数の前記希望条件と前記現在条件の組み合わせの中から一方の前記現在条件が他方の前記希望条件を満足し、且つ一方の前記希望条件が他方の前記現在条件により満足させられる組み合わせのペアを発見するステップと、前記発見ステップにより発見された組み合わせのそれぞれの利用者にその結果を伝達するためのステップを有することを特徴とする【０００９】請求項７記載の発明の駐車場交換組み合わせ発見プログラムは、駐車場物件利用希望者の希望住所、希望金額、希望住所からの許容距離などの希望条件と現在利用中の駐車場の住所、金額等の現在条件を入力するステップと、前記希望条件と前記現在条件を記憶するステップと、記憶された複数の前記希望条件と前記現在条件の組み合わせの中から全ての前記現在条件がいづれかの前記希望条件を満足し、且つ全ての前記希望条件がいづれかの前記現在条件により満足させられる２つ以上の組み合わせの集合を発見するステップと、前記発見ステップにより発見された組み合わせのそれぞれの利用者にその結果を伝達するためのステップを有することを特徴とする【００１０】請求項８記載の発明の駐車場交換組み合わせ発見プログラムは、駐車場物件利用希望者の希望住所、希望金額、希望住所からの許容距離などの希望条件と現在利用中の駐車場の住所、金額等の現在条件と空駐車場の住所、金額等の空駐車場条件を入力するステップと、前記希望条件と前記現在条件と前記空駐車場条件を記憶するステップと、記憶された複数の前記希望条件と前記現在条件の組み合わせ又は複数の前記空駐車場条件の中から全ての前記希望条件がいづれかの前記現在条件又は前記空駐車場条件により満足させられ且つ前記希望条件を満足する全ての前記現在条件は２つ以上の前記希望条件を重複して満足しない２つ以上の組み合わせの集合を発見するステップと、前記発見ステップにより発見された組み合わせのそれぞれの利用者にその結果を伝達するためのステップを有することを特徴とする【００１１】請求項９記載の発明の駐車場交換組み合わせ発見プログラムは、請求項６から８いずれかに記載の駐車場交換組み合わせ発見プログラムにおいて、さらに利用者が駐車場の交換を申し込むためのステップと、前記申し込みを方法運用者に伝達するステップを有することを特徴とする【００１２】請求項１０記載の発明の駐車場交換組み合わせ発見プログラムは、請求項６から９いずれかに記載の駐車場交換組み合わせ発見プログラムにおいて、前記入力ステップがインターネット経由でパソコンや携帯通信端末からの操作が可能であり、前記伝達ステップがインターネット経由でパソコンや携帯通信端末に前記結果を伝達することが可能である【００１３】請求項１１記載の発明の駐車場交換組み合わせ発見方法は、駐車場物件利用希望者の希望住所、希望金額、希望住所からの許容距離などの希望条件と現在利用中の駐車場の住所、金額等の現在条件を入力する工程と、前記希望条件と前記現在条件を記憶する工程と、記憶された複数の前記希望条件と前記現在条件の組み合わせの中から一方の前記現在条件が他方の前記希望条件を満足し、且つ一方の前記希望条件が他方の前記現在条件により満足させられる組み合わせのペアを発見する工程と、前記発見工程により発見された組み合わせのそれぞれの利用者にその結果を伝達するための工程を有することを特徴とする【００１４】請求項１２記載の発明の駐車場交換組み合わせ発見方法は、駐車場物件利用希望者の希望住所、希望金額、希望住所からの許容距離などの希望条件と現在利用中の駐車場の住所、金額等の現在条件を入力する工程と、前記希望条件と前記現在条件を記憶する工程と、記憶された複数の前記希望条件と前記現在条件の組み合わせの中から全ての前記現在条件がいづれかの前記希望条件を満足し、且つ全ての前記希望条件がいづれかの前記現在条件により満足させられる２つ以上の組み合わせの集合を発見する工程と、前記発見工程により発見された組み合わせのそれぞれの利用者にその結果を伝達するための工程を有することを特徴とする【００１５】請求項１３記載の発明の駐車場交換組み合わせ発見方法は、駐車場物件利用希望者の希望住所、希望金額、希望住所からの許容距離などの希望条件と現在利用中の駐車場の住所、金額等の現在条件と空駐車場の住所、金額等の空駐車場条件を入力する工程と、前記希望条件と前記現在条件と前記空駐車場条件を記憶する工程と、記憶された複数の前記希望条件と前記現在条件の組み合わせ又は複数の前記空駐車場条件の中から全ての前記希望条件がいづれかの前記現在条件又は前記空駐車場条件により満足させられ且つ前記希望条件を満足する全ての前記現在条件は２つ以上の前記希望条件を重複して満足しない２つ以上の組み合わせの集合を発見する工程と、前記発見工程により発見された組み合わせのそれぞれの利用者にその結果を伝達するための工程を有することを特徴とする【００１６】請求項１４記載の発明の駐車場交換組み合わせ発見方法は、請求項１１から１３いずれかに記載の駐車場交換組み合わせ発見方法において、さらに利用者が駐車場の交換を申し込むための工程と、前記申し込みを方法運用者に伝達する工程を有することを特徴とする【００１７】請求項１５記載の発明の駐車場交換組み合わせ発見方法は、請求項１１から１４いずれかに記載の駐車場交換組み合わせ発見方法において、前記入力工程がインターネット経由でパソコンや携帯通信端末からの操作が可能であり、前記伝達工程がインターネット経由でパソコンや携帯通信端末に前記結果を伝達することが可能である
【発明を実施するための最良の形態】
【００１８】次に図面を参照しながら、本発明の実施の形態の具体例（実施例）を説明するが、本発明は以下の実施例に限定されるものではない。【００１９】図１は、インターネット上で駐車場交換組み合わせ発見システムを実施した場合の概略構成を示す。１０は駐車場交換組み合わせ発見サーバであり、インターネット７０を経由して利用者端末５０や運用者端末５１からアクセスすることができる。駐車場交換組み合わせ発見サーバ１０上ではＷＷＷサーバ４０が稼動し、利用者端末５０や運用者端末５１にＨＴＭＬ画面を供給したり、ＨＴＭＬ画面で入力されたデータを受信する。利用者は利用者端末５０上でＷｅｂブラウザ８０を起動し、Ｗｅｂブラウザ８０上で条件入力用ＨＴＭＬ画面６０や結果出力件申し込み用ＨＴＭＬ画面６１を表示する。運用者は運用者端末５１でＷｅｂブラウザ８０を起動し、Ｗｅｂブラウザ８０上で交換申し込み状況確認用ＨＴＭＬ画面６２を表示する。ここで利用者端末５０や運用者端末５１はＣＰＵ、メモリ、ハードディスク、キーボード、ディスプレイを備える一般的なパーソナルコンピュータを利用することができ、それぞれ専用の端末である必要は無い。また、駐車場交換組み合わせ発見サーバ１０はＣＰＵ、メモリ、ハードディスクを備える一般的なサーバコンピュータで動作することを想定する。【００２０】駐車場交換組み合わせ発見サーバ１０には条件データベース３０、地図データ３１、申し込みデータベース３２があり、条件データベース３０には利用者が条件入力用ＨＴＭＬ画面６０から入力したデータが格納され、駐車場交換組み合わせ算出の際の条件として利用される。地図データベース３１には駐車場間の距離を算出するために必要な地図データが格納されている。申し込みデータベースには利用者が交換の申し込みを行った場合に当該申し込み情報が格納され、運用者がそれを確認し、駐車場交換サービスを実施するために利用される。【００２１】駐車場交換組み合わせ発見サーバ１０には条件登録処理部２０、組み合わせ発見計算部２１、結果メール送信部２２、申し込み処理部２３があり、条件登録処理部２０は利用者が条件入力用ＨＴＭＬ画面６０から入力した条件データの条件データベース３０への登録処理を行う。組み合わせ発見計算部２１は利用者が条件データの登録を行ったことを契機とし、交換可能駐車場発見のための計算処理を行い、交換可能駐車場が発見された場合は結果出力件申し込み用ＨＴＭＬ画面６１に交換組み合わせ計算結果を表示すると共に結果メール送信部２２は交換組み合わせ発見を知らせるメールを交換対象駐車場登録利用者の登録済みメールアドレスに送信する。申し込み処理部２３は結果出力件申し込み用ＨＴＭＬ画面６１から利用者が交換申し込みを行った場合に当該申し込み情報を申し込みデータベース３２に格納すると共に運用者からの問い合わせに応じて交換申し込み状況確認用ＨＴＭＬ画面６２に申し込み状況を表示する。【００２２】図２は、条件入力用ＨＴＭＬ画面６０の画面構成を示す。利用者が駐車場交換組み合わせ発見システムを利用する際に始めに開く画面であり、利用者は氏名、住所、駐車場を交換するに当たり希望の金額、駐車場を交換するに当たり住所からの許容可能な距離、現在使用中の駐車場の住所、現在使用中の駐車場の月額金額、連絡先メールアドレスを入力し、登録ボタンを押下する。ここで距離は徒歩時間を入力できるものとする。登録ボタンの押下により入力された前記条件データが駐車場交換組み合わせ発見サーバ１０の条件登録処理部２０に送信され、条件データベース３０に格納される。【００２３】前記条件データベース３０への条件データの格納を契機に交換組み合わせ発見処理が組み合わせ発見計算部２１により実行される。図５は、交換組み合わせ発見処理が計算実行時に使用する条件データの一時保持領域の領域構成を示し、図６は交換組み合わせ発見処理が計算を行う際のフローチャートを示す。一時保持領域は駐車場交換組み合わせ発見サーバ１０のメモリなどの揮発性の記憶媒体を使用しても、ハードディスクのような永続的な記憶媒体を使ってもよいが、メモリを使用するほうが処理性能がよいと考えられる。【００２４】組み合わせ発見計算部２１は、まず図６のＳ１に示すように、新規条件登録者の条件データから住所、希望金額、希望距離、現駐車場住所、現駐車場金額の情報を抽出し、新規条件登録者条件データ一時保持領域（Ｍ１）の住所（Ａ）、希望金額（Ｂ）、希望距離（Ｃ）、現駐車場住所（Ｄ）、現駐車場金額（Ｅ）にそれぞれ対応するものを格納する。【００２５】次に、図６のＳ２に示すように、新規条件登録者の条件データから住所、希望金額、希望距離、現駐車場住所、現駐車場金額の情報を抽出し、条件データ一時保持領域１（Ｍ２）の住所（Ｆ）、希望金額（Ｇ）、希望距離（Ｈ）、現駐車場住所（Ｉ）、現駐車場金額（Ｊ）にそれぞれ対応するものを格納する。この処理から後述のＳ５までの処理はＳ５での判定結果により繰り返し実行される。また、この処理から後述のＳ１０までの処理もＳ１０での判定結果により繰り返し実行される。【００２６】次に、図６のＳ３に示すように、既存条件登録者の条件データを１件読み出し、住所、希望金額、希望距離、現駐車場住所、現駐車場金額の情報を抽出し、条件データ一時保持領域２（Ｍ３）の住所（Ｋ）、希望金額（Ｌ）、希望距離（Ｍ）、現駐車場住所（Ｎ）、現駐車場金額（Ｏ）にそれぞれ格納する。この処理から後述のＳ７までの処理はＳ７での判定結果により繰り返し実行される。【００２７】次に、図６のＳ４に示すように、条件データ一時保持領域１（Ｍ２）の住所（Ｆ）と条件データ一時保持領域２（Ｍ３）の現駐車場住所（Ｎ）の間の距離（Ｐ）を地図データベース３１の情報を利用して算出する。ここで距離（Ｐ）は、一般的に利用される平均的な徒歩速度の目安である８０ｍ／分を利用して算出された住所（Ｆ）から現駐車場住所（Ｎ）までの徒歩時間とする。【００２８】次に、図６のＳ５に示すように、Ｓ４で算出した距離（Ｐ）と条件データ一時保持領域１（Ｍ２）の希望距離（Ｈ）を比較し、距離（Ｐ）が希望距離（Ｈ）よりも小さい、且つ条件データ一時保持領域１（Ｍ２）の希望金額（Ｇ）と条件データ一時保持領域２（Ｍ３）の現駐車場金額（Ｏ）を比較し、その誤差が１０００円以内であればＳ６の処理に進む。前記条件を満たさない場合は、Ｓ２にループバックする。ここでの処理では、一方の希望駐車場条件を、他方の現駐車場条件が満たすか否かの演算を行っており、条件が満たされない場合には次の既存登録者の条件データの処理に移るためにＳ２へとループバックする。尚、前記１０００円という金額はシステムへの設定で可変とする。【００２９】次に、図６のＳ６に示すように、条件データ一時保持領域２（Ｍ３）の住所（Ｋ）と新規条件登録者条件データ一時保持領域（Ｍ１）の現駐車場住所Ｄの間の距離（Ｑ）を算出する。ここで距離（Ｑ）は、一般的に利用される平均的な徒歩速度の目安である８０ｍ／分を利用して算出された住所（Ｋ）から現駐車場住所（Ｄ）までの徒歩時間とする。【００３０】次に、図６のＳ７に示すように、Ｓ６で算出した距離（Ｑ）と条件データ一時保持領域２（Ｍ３）の希望距離（Ｍ）を比較し、距離（Ｑ）が希望距離（Ｍ）よりも小さい、且つ条件データ一時保持領域２（Ｍ３）の希望金額（Ｌ）と新規条件登録者条件データ一時保持領域（Ｍ１）の現駐車場金額（Ｅ）を比較し、その誤差が１０００円以内であればＳ９の処理に進む。前記条件を満たさない場合は、Ｓ３にループバックするが、その際Ｓ８に示す処理を実行する。ここでの処理では、ある一方の希望駐車場条件を、他方の現駐車場条件が満たしている状況で、他方の希望する条件を新規条件登録者の現駐車場が満たすか否かの演算を行っており、条件を満たす場合にはこの時点で駐車場交換組み合わせが発見された状態になる。前記条件を満たさない場合には、少なくとも他方の現駐車場条件が一方の希望駐車場条件を満たしてる状況であるため、別の既存登録者の条件データの処理に移るためにＳ３へとループバックする。尚、前記１０００円という金額はシステムへの設定で可変とする。
図６のＳ８に示すように、Ｓ３へのループバックの過程において、条件データ一時保持領域２（Ｍ３）の住所（Ｋ）、希望金額（Ｌ）、希望距離（Ｍ）、現駐車場住所（Ｎ）、現駐車場金額（Ｏ）の情報を抽出し、条件データ一時保持領域１（Ｍ２）の住所（Ｆ）、希望金額（Ｇ）、希望距離（Ｈ）、現駐車場住所（Ｉ）、現駐車場金額（Ｊ）にそれぞれ対応するものを格納する。このＳ８での処理により、ある登録済み条件データで既にその現駐車場条件が別の登録済み条件データの希望駐車場条件を満たしているものについて、Ｓ３以降の処理において、当該登録済み条件データの希望条件を満たす別の登録済み条件データを発見する演算処理を行うことができるようになる。【００３１】図６のＳ９に示すように、Ｓ７において条件が満たされた場合は、駐車場交換組み合わせが発見された状態になったことになるため、ここまでの処理において、Ｓ５の処理で条件を満たした際の全ての条件データ一時保持領域１（Ｍ２）の条件データと、Ｓ７の処理で条件を満たした際の条件データ一時保持領域２（Ｍ３）の条件データの組み合わせを駐車場交換可能組み合わせデータとして一時的に保持する。【００３２】図６のＳ１０に示すように、この時点で、全既存条件登録者の検索が終了している場合にはＳ１１の処理へと進み、まだ全件終了していない場合にはＳ２にループバックし、未演算の既存条件登録者からの別の交換組み合わせの発見処理へと移る。
図６のＳ１１の処理において、組み合わせ発見計算部２１は、発見された駐車場交換可能組み合わせ情報を結果出力兼申し込み用ＨＴＭＬ画面６１に反映し、利用者端末５０に表示する。図３に結果出力兼申し込み用ＨＴＭＬ画面６１の画面構成を示す。結果出力兼申し込み用ＨＴＭＬ画面６１には、当該画面を表示するユーザの駐車場と交換組み合わせが成立した交換先の駐車場住所と駐車場の金額が表示され、各行には排他的に選択可能なラジオボタンが配置されている。利用者はここでラジオボタンを選択し、申し込みボタンを押下することにより、駐車場交換の申し込みを行うことができる。【００３３】組み合わせ発見計算部２１により駐車場交換可能組み合わせが発見された場合に、新規条件登録者は結果出力兼申し込み用ＨＴＭＬ画面６１で結果を確認することが出来る。一方、新規条件登録者以外の既存条件登録者へは、結果メール送信部２２により、条件登録時に指定したメールアドレスへ電子メールを送信する。図７に前記電子メールの内容を示す。電子メールの文中には結果出力兼申し込み用ＨＴＭＬ画面６１のＵＲＬが記述されており、当該ＵＲＬをクリックすることにより、Ｗｅｂブラウザは結果出力兼申し込み用ＨＴＭＬ画面６１を表示する。【００３４】結果出力兼申し込み用ＨＴＭＬ画面６１で申し込みボタンが押下されると、ラジオボタンで選択されている条件データと氏名などの利用者情報が駐車場交換組み合わせ発見サーバ１０へ送信され、申し込み処理部２３は前記条件データと氏名などの利用者情報を申し込みデータベース３２に格納する。【００３５】図４には交換申し込み状況確認用ＨＴＭＬ画面６２の画面構成図を示す。運用者は、交換申し込み状況確認用ＨＴＭＬ画面６２から、駐車場交換申し込み済みの利用者氏名、利用者の条件データ、及び交換相手氏名を確認することが出来る。【００３６】運用者は交換申し込み状況確認用ＨＴＭＬ画面６２で、交換成立している全利用者が申し込みしているか否かを確認し、全利用者が申し込みをしている場合には、実際に駐車場交換情報を提供したり、交換手続きを行うサービスを実現できる。【００３７】尚、本実施例では既に駐車場を借りている利用者同士の交換を想定し説明したが、条件入力用ＨＴＭＬ画面６０について図８に示す構成の画面も用意し、不動産業者もしくは大家が直接空き駐車場を登録できるようにすることにより、組み合わせ発見計算部２１で駐車場交換組み合わせ発見する際に、現空駐車場も候補とすることが出来る。このとき、前記組み合わせ発見計算部２１のフローチャートにおけるＳ７のステップの条件を、前記条件との論理和として、希望額と希望距離が格納されていない場合、という条件を追加することにより実現可能である。【００３８】また、本実施例ではインターネット経由で利用する場合で説明したが、イントラネットでも利用可能である。また、利用者端末５０や運用者端末５１をＷｅｂブラウザを必要としないクライアントソフトウェアとして実装し、駐車場交換組み合わせ発見サーバ１０との間で通信を行い処理を実行するクライアントサーバシステムとしての実装や、利用者端末５０、運用者端末５１及び駐車場交換組み合わせ発見サーバ１０の機能を同一ソフトウェアとして実装するスタンドアロンシステムとしての実装も可能である。【００３９】また、本実施例では利用者端末５０や運用者端末５１をパーソナルコンピュータを利用することを想定して説明したが、携帯電話などの携帯通信端末としてもよい。【００４０】また、本実施例では組み合わせ発見計算部２１は、前記条件データベース３０への条件データの格納を契機に動作するとして説明したが、同時利用数が多い場合には処理性能が劣化することを避けるために定期的に動作する方式でもよい。
【図面の簡単な説明】
【００４１】
【図１】本発明を適用してなる一実施例システムの概要を示す概略構成図である。
【図２】本実施例システムのユーザ端末における表示形態を説明するための模式図である。
【図３】本実施例システムのユーザ端末における表示形態を説明するための模式図である。
【図４】本実施例システムのユーザ端末における表示形態を説明するための模式図である。
【図５】本実施例システムのデータ一時保持領域を説明するための模式図である。
【図６】本実施例システムの動作を説明するためのフローチャートである。
【図７】本実施例システムのユーザ端末における表示形態を説明するための模式図である。
【図８】本実施例システムのユーザ端末における表示形態を説明するための模式図である。
【符号の説明】
【００４２】１０  駐車場交換組み合わせ発見サーバ
２０  条件登録処理部
２１  組み合わせ発見計算部
２２  結果メール送信部
２３  申し込み処理部
３０  条件データベース
３１  地図データベース
３２  申し込みデータベース
４０  ＷＷＷサーバ
５０  利用者端末
５１  運用者端末
６０  条件入力用ＨＴＭＬ画面
６１  結果出力兼申し込み用ＨＴＭＬ画面
６２  交換申し込み状況確認用ＨＴＭＬ画面
７０  インターネット
８０  Ｗｅｂブラウザ
【図１】
2009211672.tif 000003
【図２】
2009211672.tif 000004
【図３】
2009211672.tif 000005
【図４】
2009211672.tif 000006
【図５】
2009211672.tif 000007
【図６】
2009211672.tif 000008
【図７】
2009211672.tif 000009
【図８】
2009211672.tif 000010